(57)【特許請求の範囲】
【請求項１】
後部に後方視認用のミラーが収容されるハウジング本体と、前記ハウジング本体の前部に取り付けられるハウジングカバーと、前記ハウジング本体と前記ハウジングカバーとの間に配置され、前記ハウジングカバーの前部からカバー側部に亘って形成された湾曲横長孔状の開口部に沿って露出する湾曲横長面を有するウインカランプと、を含むアウターミラーであって、
前記ウインカランプに一体成形された弾性片を設け、前記ハウジング本体と前記ハウジングカバーとの間に前記ウインカランプを配置した状態において、前記弾性片が前記ハウジングカバーの表面に変形した状態で密着されることで、前記ハウジングカバーと前記ウインカランプとの間が閉塞されるようになっており、
前記ウインカランプは、ランプ部と、このランプ部の背部から側部を覆う有底状のランプカバーとを備え、
前記弾性片は、前記ウインカランプの前記ランプカバーの側部に設けられており、対向面となる前記ハウジングカバーの開口縁部の近傍部位に対して面状に密着するよう前記ランプカバーの側部の先端から側方へ向けて延びていることを特徴とするアウターミラー。
【請求項２】
前記弾性片の厚さが、密着する部位となる前記開口縁部の近傍部位の厚さよりも薄いことを特徴とする請求項１に記載のアウターミラー。
【請求項３】
後部に後方視認用のミラーが収容されるハウジング本体と、前記ハウジング本体の前部に取り付けられるハウジングカバーと、前記ハウジング本体と前記ハウジングカバーとの間に配置され、前記ハウジングカバーの前部からカバー側部に亘って形成された湾曲横長孔状の開口部に沿って露出する湾曲横長面を有するウインカランプと、を含むアウターミラーであって、
前記ハウジングカバーに一体成形された弾性片を設け、前記ハウジング本体と前記ハウジングカバーとの間に前記ウインカランプを配置した状態において、前記弾性片が前記ウインカランプの表面に変形した状態で密着されることで、前記ハウジングカバーと前記ウインカランプとの間が閉塞されるようになっており、
前記ウインカランプは、前記ハウジングカバーの開口縁部に対向する肩部を備え、
前記弾性片は、前記ハウジングカバーの開口縁部の近傍部位に設けられており、対向面となる前記ウインカランプの肩部に対して面状に密着するよう前記開口縁部の近傍部位から前記ウインカランプの肩部へ向けて延びていることを特徴とするアウターミラー。
【発明の詳細な説明】
【技術分野】
【０００１】
本発明は、自動車等の車両に搭載されるアウターミラーに関する。
【背景技術】
【０００２】
従来、自動車等の車両のアウターミラーにおいて、ウインカランプをアウターミラーに内蔵させた技術が知られている（例えば、特許文献１参照）。
このアウターミラーでは、ハウジング本体とハウジングカバーとからなる２ピース構造とされており、ハウジング本体とハウジングカバーとの間にウインカランプを配置して、ハウジングカバーに形成された開口部によってウインカランプがハウジングカバーに露出するように構成されている。
【０００３】
ところで、ウインカランプは、開口部を通じてハウジングカバーの前部に露出しているので、開口部における隙間を通じて走行風がハウジングカバー内に流れ込み易く、耳障りな風切り音となる笛吹き音が発生し易い。
そこで、従来では、図１０に示すように、ハウジングカバー１の内側の開口縁部１ａに対向するウインカランプ２の周部２ａに、発泡ウレタン等の材料からなるシール材３を貼付して、前記隙間をこのシール材３で塞いでいた。このようなアウターミラーでは、シール材３を介在させることによって前記隙間が塞がれることとなるので、笛吹き音の発生原因となる走行風がハウジングカバー１内に入り込むことが阻止されることとなる。なお、ウインカランプ２はハウジング本体４に取り付けられる。
【０００４】
【特許文献１】特開２００２−９６６８４号公報
【発明の開示】
【発明が解決しようとする課題】
【０００５】
しかしながら、前記した従来のアウターミラーでは、笛吹き音の発生の防止をシール材を介在させることにより行っていたので、シール材の貼り付けに手間がかかり、組み立てが煩雑であるという問題があった。特に、シール材の貼り付け位置にずれを生じてしまうと、笛吹き音の発生を防止する効果が低減したり、開口部からシール材が露出したりして外観が損なわれるため、シール材の貼り付けには、慎重な作業が要求されていた。
【０００６】
また、シール材は、ロ字形状に裁断する必要があり、無駄な部分が出てコスト、省資源の点からも問題があった。
【０００７】
このことは、ハウジングカバーの開口部にウインカランプが露出するアウターミラーに限らず、アウターミラーの外観を構成する外観部材（ハウジングカバー等）に設けられた開口部に、組付部品が露出するように構成されたアウターミラーにおいても共通して当てはまることである。
【０００８】
本発明は、かかる事情に鑑みてなされたものであり、ハウジングカバーの開口部にウインカランプが露出するアウターミラー、または外観を構成する外観部材に設けられた開口部に組付部品が露出するアウターミラーにおいて、笛吹き音の発生を低減することができるとともに、生産性が高く、しかも低コスト化を実現することができるアウターミラーを提供することにある。
【課題を解決するための手段】
【０００９】
前記課題を達成するために本発明のアウターミラーは、後部に後方視認用のミラーが収容されるハウジング本体と、前記ハウジング本体の前部に取り付けられるハウジングカバーと、前記ハウジング本体と前記ハウジングカバーとの間に配置され、前記ハウジングカバーの前部からカバー側部に亘って形成された湾曲横長孔状の開口部に沿って露出する湾曲横長面を有するウインカランプと、を含むアウターミラーであって、前記ウインカランプに一体成形された弾性片を設け、前記ハウジング本体と前記ハウジングカバーとの間に前記ウインカランプを配置した状態において、前記弾性片が前記ハウジングカバーの表面に変形した状態で密着されることで、前記ハウジングカバーと前記ウインカランプとの間が閉塞されるようになっており、前記ウインカランプは、ランプ部と、このランプ部の背部から側部を覆う有底状のランプカバーとを備え、前記弾性片は、前記ウインカランプの前記ランプカバーの側部に設けられており、対向面となる前記ハウジングカバーの開口縁部の近傍部位に対して面状に密着するよう前記ランプカバーの側部の先端から側方へ向けて延びていることを特徴とする。
【００１０】
このアウターミラーによれば、ハウジング本体とハウジングカバーとの間にウインカランプを配置した状態にすると、ウインカランプおよびハウジングカバーの一方に一体成形されて設けられた弾性片が、ウインカランプおよびハウジングカバーの他方の表面に変形した状態で密着され、ハウジングカバーとウインカランプとの間が閉塞される。したがって、開口部の隙間を通じてハウジングカバー内に走行風が入り込まず、走行風による笛吹き音の発生が低減される。
【００１１】
また、前記ウインカランプは、ランプ部と、このランプ部の背部から側部を覆う有底状のランプカバーとを備え、前記弾性片は、前記ウインカランプの前記ランプカバーの側部に設けられており、対向面となる前記ハウジングカバーの開口縁部の近傍部位に対して面状に密着するよう前記ランプカバーの側部の先端から側方へ向けて延びている構成とされているので、ハウジング本体とハウジングカバーとの間にウインカランプを配置した状態で、ランプカバーの側部の先端から側方へ延びた弾性片が、対向面となるハウジングカバーの開口縁部の近傍部位に対して面状に密着し、これによって、ハウジングカバーとウインカランプとの間が閉塞される。
【００１３】
また、前記弾性片の厚さが、密着する部位となる前記開口縁部の近傍部位の厚さよりも薄くされた構成とするのがよい。
かかるアウターミラーによれば、弾性片の厚さを、密着する部位となる開口縁部の近傍部位の厚さよりも薄くすれば、密着する部位に対応して弾性片が変形しやすくなり、ハウジングカバーとウインカランプとの間が良好に閉塞されやすくなる。したがって、走行風による笛吹き音の発生が効果的に低減されようになる。
【００１４】
また、本発明のアウターミラーは、後部に後方視認用のミラーが収容されるハウジング本体と、前記ハウジング本体の前部に取り付けられるハウジングカバーと、前記ハウジング本体と前記ハウジングカバーとの間に配置され、前記ハウジングカバーの前部からカバー側部に亘って形成された湾曲横長孔状の開口部に沿って露出する湾曲横長面を有するウインカランプと、を含むアウターミラーであって、前記ハウジングカバーに一体成形された弾性片を設け、前記ハウジング本体と前記ハウジングカバーとの間に前記ウインカランプを配置した状態において、前記弾性片が前記ウインカランプの表面に変形した状態で密着されることで、前記ハウジングカバーと前記ウインカランプとの間が閉塞されるようになっており、前記ウインカランプは、前記ハウジングカバーの開口縁部に対向する肩部を備え、前記弾性片は、前記ハウジングカバーの開口縁部の近傍部位に設けられており、対向面となる前記ウインカランプの肩部に対して面状に密着するよう前記開口縁部の近傍部位から前記ウインカランプの肩部へ向けて延びていることを特徴とする。
【００１５】
このアウターミラーによれば、ハウジング本体とハウジングカバーとの間にウインカランプを配置した状態にすると、ハウジングカバーに一体成形された弾性片が、ウインカランプの表面に変形した状態で密着され、ハウジングカバーとウインカランプとの間が閉塞される。したがって、開口部の隙間を通じてハウジングカバー内に走行風が入り込まず、走行風による笛吹き音の発生が低減される。
また、ウインカランプは、ハウジングカバーの開口縁部に対向する肩部を備え、前記弾性片は、前記ハウジングカバーの開口縁部の近傍部位に設けられており、対向面となる前記ウインカランプの肩部に対して面状に密着するよう前記開口縁部の近傍部位から前記ウインカランプの肩部へ向けて延びている構成とされているので、ハウジング本体とハウジングカバーとの間にウインカランプを配置した状態で、ハウジングカバーの開口縁部の近傍部位からウインカランプの肩部へ向けて延びた弾性片が、対向面となるウインカランプの肩部に対して面状に密着し、これによって、ハウジングカバーとウインカランプとの間が閉塞される。したがって、開口部の隙間を通じてハウジングカバー内に走行風が入り込まず、走行風による笛吹き音の発生が低減される。
【発明の効果】
【００１６】
本発明によれば、ハウジングカバーの開口部にウインカランプが露出するアウターミラー、または外観を構成する外観部材に設けられた開口部に組付部品が露出するアウターミラーにおいて、笛吹き音の発生を低減することができるとともに、生産性が高く、しかも低コスト化を実現することができるアウターミラーが得られる。
【発明を実施するための最良の形態】
【００１７】
以下、添付図面を参照して、本発明の実施の形態を詳細に説明する。なお、説明において、「前後」，「左右」，「上下」は、アウターミラーを自動車の車体に取り付けた状態を基準とする。また、以下の実施形態では、ハウジングカバーの開口部にウインカランプ（組付部品の一態様）が露出するアウターミラーについて説明する。
図１は本発明の一実施形態に係るアウターミラーを示す外観斜視図、図２は同じくハウジング本体とハウジングカバーとを展開した展開斜視図、図３（ａ）はハウジングカバーを後面側から見た斜視図、図３（ｂ）（ｃ）はハウジングカバーに対するウインカランプの取り付けを説明するための断面図である。
【００１８】
本実施の形態に係るアウターミラーは、自動車の車体のサイドドアに付設されるいわゆるドアミラーであり、図１に示すように、サイドドア等の側面からその側方に向かって張り出すミラーベース１０と、このミラーベース１０に取り付けられるミラーハウジングＨとから構成されている。ミラーハウジングＨの後部の後面開口部Ｈａには、後方視認用のミラー４０が収容され、また、ミラーハウジングＨの前部Ｈ１から側部Ｈ２に亘る部位にはウインカランプ５０が設けられている。また、ミラーハウジングＨは、ハウジング本体２０とハウジングカバー３０とからなる２ピース構造とされ、ハウジング本体２０とハウジングカバー３０との間にウインカランプ５０が配置されている。なお、本実施形態に係るアウターミラーは電動格納式であり、ミラーハウジングＨは、ミラーベース１０の張出部１０ａに固定された図示しないシャフトに対して回動可能に取り付けられている。
【００１９】
以下、各部について詳細に説明する。
ミラーベース１０は、合成樹脂製であり、図示しないサイドドア等の前端部に形成された図示しない取付座等に固定される。
ミラーハウジングＨは、合成樹脂製であり、前記のように、ハウジング本体２０とハウジングカバー３０とからなる２ピース構造とされている。ハウジング本体２０は、例えば、ＡＳＡ樹脂等の材料からなり、また、ハウジングカバー３０は、ＡＢＳ樹脂等の材料からなる。
【００２０】
図２に示すように、ハウジング本体２０には、その前部に複数の孔部２２ａが形成されており、これらの複数の孔部２２ａに、ハウジングカバー３０の内側面に突設された複数の弾性係止片３２ａ（一部図示）がそれぞれ係止されることにより、ハウジング本体２０の前部にハウジングカバー３０が取り付けられるようになっている。取り付けられた状態で、ハウジングカバー３０は、弾性係止片３２ａの弾性力によって、ハウジング本体２０に対する上下左右方向の位置ずれが抑制される状態に固定される。
【００２１】
ハウジングカバー３０には、前部３１ａからカバー側部３１ｂに亘って形成された湾曲横長孔状の開口部３７が形成されている。この開口部３７には、ハウジング本体２０とハウジングカバー３０との間に配置されたウインカランプ５０のランプ部５１が露出するようになっている（図１参照）。つまり、ハウジングカバー３０は、カバー側部３１ｂが開口部３７によって切り欠かれることがなく、一体的に繋がった構成となっている。
【００２２】
ウインカランプ５０は、図３（ｂ），図４（ａ）に示すように、ランプ部５１と、このランプ部５１の底面（アウターミラーを自動車の車体に取り付けた状態では後面）から側面（同じく上面、下面）を覆う有底状のランプカバー５２とを備え、ハウジング本体２０とハウジングカバー３０（いずれも図２参照、以下同じ）との間に配置可能な湾曲形状とされている。
ランプ部５１は、ランプカバー５２に溶着される基部５１ａと、ハウジングカバー３０の開口部３７に沿って露出する湾曲横長部（湾曲横長面）５１ｂとを有しており、湾曲横長部５１ｂの周りに形成される肩部（対向部）５１ｃがハウジングカバー３０の内側における開口縁部３７ａ（図３（ａ）参照）に対向するようになっている。
また、ランプ部５１の基端部には、図４（ａ）（ｂ）に示すように光源５３が配置されている。光源５３としては、例えば、ＬＥＤ（Light Emitting Diode）が用いられている。
【００２３】
ランプカバー５２は、例えば、ＡＳＡ樹脂等の材料からなり、図３（ｂ）に示すように、ランプ部５１の底面から側面を覆う有底状とされて、底部５２ａと側部５２ｂとを備えている。底部５２ａには、ランプ部５１の基部５１ａが溶着されて固定されるようになっており、溶着時に溶けた樹脂が流れ出るのを側部５２ｂで抑えるために、図３（ｃ）に示すように、ランプ部５１と側部５２ｂとの間には、溶着溝５２ｃが形成されるようになっている。
【００２４】
側部５２ｂには、図３（ｂ）に示すように、先端部に弾性片５４が一体成形により設けられている。この弾性片５４は、対向面となるハウジングカバー３０の開口縁部３７ａの近傍部位３７ｂに対して面状に密着するよう側部５２ｂの先端から側方（外方）へ向けて延設されている。
弾性片５４は、ハウジングカバー３０の開口縁部３７ａの近傍部位３７ｂに押圧されたときに変形して、開口縁部３７ａの近傍部位３７ｂの傾斜に対応して折曲するようになっており、折曲された状態で弾力を持って開口縁部３７ａの近傍部位３７ｂに密着するようになっている。
本実施形態では、弾性片５４の厚さが、密着する部位となる開口縁部３７ａの近傍部位３７ｂの厚さよりも薄くされており、開口縁部３７ａの近傍部位３７ｂに押圧される過程で弾性片５４が変形し易くされている。これによって、開口縁部３７ａの近傍部位３７ｂに弾性片５４が押圧される過程で、弾性片５４が開口縁部３７ａの近傍部位３７ｂに面接触する。したがって、開口縁部３７ａの近傍部位３７ｂの狭い範囲に応力が集中することがなく、開口縁部３７ａの近傍部位３７ｂが押圧される構成でありながら変形し難くなっている。これによって、ハウジングカバー３０の外観が損なわれることもない。また、弾性片５４は、開口縁部３７ａの近傍部位３７ｂに面接触するので、ハウジングカバー３０とウインカランプ５０との間が良好に閉塞されることとなる。
【００２５】
また、弾性片５４は、図３（ｂ）に示すように、開口縁部３７ａの近傍部位３７ｂに対してその先端が先に当接するように角度をもって形成されている。
さらに、弾性片５４は、弾性片５４がない場合に、開口部３７とウインカランプ５０との隙間Ｓを通じて走行風が入り込む範囲に設けられている。なお、弾性片５４は、ランプカバー５２の側部５２ｂに沿って、全体的に設けても差し支えない。
【００２６】
次に、このような構成よりなるアウターミラーの組み立ておよび作用について説明する。
アウターミラーの組み立てにあたっては、まず、図２に示すように、ハウジング本体２０にウインカランプ５０を図示しないねじ等の固定手段を用いて固定し、続いてその上からハウジングカバー３０を被せて、ハウジング本体２０の複数の孔部２２ａに、ハウジングカバー３０の複数の弾性係止片３２ａをそれぞれ係止することで行うことができる。
そして、ハウジング本体２０にハウジングカバー３０が固定されると、前記したように、ウインカランプ５０に設けられた弾性片５４がハウジングカバー３０の開口縁部３７ａの近傍部位３７ｂに密着された状態となるので、次のような作用効果が得られる。
【００２７】
すなわち、図５（ａ）に示すように、開口縁部３７ａの近傍部位３７ｂに弾性片５４が密着するため、開口部３７とウインカランプ５０との隙間Ｓを通じて内部に走行風が入り込まない。これによって、笛吹き音の発生が低減される。
しかも、弾性片５４は、一体成形により形成されるので、組み立て時に笛吹き音を防止するための加工を別途行う必要もなく、笛吹き音の低減を図るために、従来のようなシール材も全く必要としないので、部品点数が削減されるとともに組み立て時の煩雑さがなく、慎重な組立作業を行う必要もない。したがって、生産性が高く、低コスト化を実現することができる。
また、弾性片５４は、開口縁部３７ａの近傍部位３７ｂに対して、その先端が先に当接するように角度をもって形成されているので、前記のようにウインカランプ５０の上からハウジングカバー３０が被せられる過程で、開口縁部３７ａの近傍部位３７ｂに対してこれが徐々に押圧するようになり、密着度が高まるという利点が得られる。したがって、より一層笛吹き音の発生が低減されるようになる。
【００２８】
また、弾性片５４は、弾性片５４がない場合に、開口部３７とウインカランプ５０との隙間Ｓを通じて走行風が入り込む範囲に設けられているので、笛吹き音を効率よく低減することができる。なお、図５（ｂ）に示すように、本実施形態のアウターミラーにおいては、ハウジングカバー３０の前部Ｈ１側に当たった走行風が、その後、ハウジングカバー３０の側部Ｈ２側へ向けて流れるという気流の流れが形成されるようになっている。これによって、ハウジングカバー３０の側部Ｈ２側に位置する隙間Ｓ１には、図示しない車両の走行速度が高速になればなるほど走行風が流れ込むことがなくなく、仮に、走行風が流れ込んだとしても笛吹き音の原因とはならない程度のごく僅かなものである。したがって、この領域に対応する部位に、弾性片５４を積極的に設けなくても笛吹き音が発生することはない。なお、隙間Ｓ１に対応する部位に、弾性片５４を設けて、ランプカバー５２の側部５２ｂの全体で走行風を遮断するように構成しても差し支えない。
【００２９】
図６は本発明の変形例を示す説明図である。図６（ａ）に示すように、該変形例では、ハウジングカバー３０の開口縁部３７ａの近傍部位３７ｂに、開口部３７側へ向けて弾性片５５が一体成形により設けられており、図６（ｂ）に示すように、ウインカランプ５０の肩部５１ｃに対して弾性片５５の先端側がそれぞれ面状に密着するように構成されている。これによって、開口部３７とウインカランプ５０との隙間Ｓを通じて内部に走行風が入り込まない。これによって、笛吹き音の発生が低減される。
しかも、弾性片５５は、一体成形により形成されるので、組み立て時に笛吹き音を防止するための加工を別途行う必要もなく、笛吹き音の低減を図るために、従来のようなシール材も全く必要としないので、部品点数が削減されるとともに組み立て時の煩雑さがなく、慎重な組立作業を行う必要もない。したがって、生産性が高く、低コスト化を実現することができる。
【００３０】
また、弾性片５５は、ウインカランプ５０の肩部５１ｃに対してその先端が先に当接するように、開口縁部３７ａの近傍部位３７ｂから肩部５１ｃへ向けて角度をもって形成されている。これによって、ウインカランプ５０の上からハウジングカバー３０が被せられる過程で、ウインカランプ５０の肩部５１ｃに対して弾性片５５が徐々に押圧するようになり、密着度が高まるという利点が得られる。したがって、より一層笛吹き音の発生が低減されるようになる。
【００３１】
なお、弾性片５５の角度は、肩部５１ｃに対して面状に密着される角度であれば種々設定することができる。また、この例では、図６（ｂ）に示すように、弾性片５５が肩部５１ｃに押圧された状態で、ウインカランプ５０に設けられる溶着溝５２ｃを覆うように構成したが、これに限られることはなく、溶着溝５２ｃが開口された状態となってもよい。
【００３２】
また、弾性片５５は、前記図５（ｂ）に示すように、開口部３７とウインカランプ５０との隙間Ｓを通じて走行風が入り込む範囲に限定して設けてもよく、また、ランプカバー５２の側部５２ｂの全体に密着するように、開口縁部３７ａの近傍部位３７ｂに設けてもよい。
【００３３】
図７（ａ）（ｂ）は参考例であり、ウインカランプ５０のランプカバー５２の側部５２ｂに対して、弾性片５５’を、それぞれ面状に密着させたものである。
この例では、弾性片５５’の先端部同士の間隔Ｌ１が、ランプカバー５２の幅Ｌ２よりも小さくされており、これによって、弾性片５５’間にウインカランプ５０が配置されると、対向面となるウインカランプ５０の側部５２ｂに対して弾性片５５’がそれぞれ面状に密着するようになっている。
【００３４】
また、弾性片５５’の厚さが、密着する部位となる側部５２ｂの厚さよりも薄くされており、弾性片５５’が側部５２ｂに押圧される過程で変形し易くされている。これによって、側部５２ｂに弾性片５５’が押圧される過程で、弾性片５５’が側部５２ｂに良好に面接触して密着する。このため、開口部３７とウインカランプ５０との隙間Ｓを通じて内部に走行風が入り込まない。これによって、笛吹き音の発生が低減される。
【００３５】
また、弾性片５５’は、側部５２ｂに対してその先端が先に当接するように角度をもって形成されている。この例では、弾性片５５’が、側部５２ｂに対して直交する角度となるように形成されているが、これに限られることはなく、弾性片５５’が側部５２ｂに対して面状に密着される角度であれば種々設定することができる。
【００３６】
以上、本発明に係る実施形態について説明したが、これらをさらに種々変更して用いることも可能である。
例えば、弾性片５４は、側部５２ｂの先端に設けられるものに限られず、先端部以外の部位から一体的に開口縁部３７ａの近傍部位３７ｂへ向けて形成してもよい。また、弾性片５４，５５は、片側あるいは両側に複数個設けてもよい。
【００３７】
また、前記実施形態では、ハウジングカバー３０の開口部３７にウインカランプ５０が露出するアウターミラーについて説明したが、これに限られることはなく、外観を構成するハウジング本体２０やハウジングカバー３０等の外観部材と、この外観部材に設けられた開口部と、この開口部に沿って露出するように取り付けられる組付部品と、を含むアウターミラーであって、外観部材および組付部品の一方に一体成形された弾性片を設け、この弾性片が外観部材および組付部品の他方の表面に変形した状態で密着されることで、外観部材と組付部品との間が閉塞されるように構成してもよい。
【００３８】
ここで、組付部品としては、アウターミラーに対して適用される部品を言い、例えば、アウターミラーに組み込まれて車体側方や車体側方の前方を映し出すカメラ装置や、アウターミラーに組み込まれて、乗車時や後車時に、アウターミラーの下方の路面における足元周りを照明するための照明装置等が挙げられ、また、一つの部材からなるものも含まれる。そして、これらの組付部品をアウターミラーに対して組み付けた場合にも、外観部材および組付部品の一方に一体成形されて設けられた弾性片が、外観部材および組付部品の他方の表面に変形した状態で密着され、外観部材および組付部品のハウジングカバーとの間が閉塞される。したがって、開口部の隙間を通じてアウターミラー内に走行風が入り込まず、走行風による笛吹き音の発生が低減されるという利点が得られる。
【実施例】
【００３９】
発明者らは前記した実施形態に関し、実際に笛吹き音が低減するかについて以下に示す方法で風洞実験を行った。すなわち、ウインカランプ５０の側部５２ｂに張り出し長さ５ｍｍの弾性片５４を形成したアウターミラーと、このような弾性片５４が形成されていない点を除いて実施例のアウターミラーと同様に構成されたアウターミラーを比較例として、これらを同一車種の自動車のフロントサイドドアに装着して自動車走行中に発生する走行風を模した風を当てて風切り音を測定した。
【００４０】
また、併せてフロントサイドドアに対するアウターミラーの取付角度を変更して風切り音を測定する実験を行った。取付角度は、図８（ａ）に示すように、フロントサイドドアに対するアウターミラーの所定の取付角度から左右方向および上下方向に、それぞれ、以下の各表中に示すように、±５度、±１０度、±１５度変更したときの笛吹き音を測定した。なお、以下の表中における数値は、笛吹き音の発生の程度を示しており、数値「０」が笛吹き音が発生していない状態を表し、数値が次第に大きくなるにつれて、笛吹き音の発生が顕著となる状態を表している。ここで、数値「０」は笛吹き音が発生しないので「良好」な状態を示しており、数値「１」〜「２．５」未満は笛吹き音が若干発生するが、比較例よりも低減されて「可」である状態を示しており、また、数値「２．５」以上が笛吹き音が発生して比較例よりもあまり低減されず「不可」である状態を示している。
【００４１】
この実験の測定結果は、図８（ｂ）に示し、比較例の測定結果は図８（ｃ）に示す。図８（ｂ）から明らかなように、実施例では、いずれの角度に変更しても状態は良好であり、所謂「ピー」という感じの風切り音（笛吹き音）が発生していないことを確認した。一方、図８（ｃ）から明らかなように、比較例では、所定の取付状態はもとより、角度を変更した状態のいずれの状態においても不可であった。
【００４２】
また、図９（ａ）に示す測定結果は、図８（ｂ）で測定した実施形態のアウターミラーにおいて、このアウターミラーよりもウインカランプ５０の肩部５１ｃとハウジングカバー３０の開口縁部３７ａとの間隔を広げた構成としたものである。図９（ａ）から明らかなように、取付角度を上方向に＋１０度変更した場合を除き、ほぼ全域で状態は良好であり、所謂「ピー」という甲高い風切り音（笛吹き音）が発生していないことを確認した。
【００４３】
ここで、前記した図６（ａ）（ｂ）に示す変形例のアウターミラーにおける測定結果を図９（ｂ）に示す。このアウターミラーでは、前記したように、ハウジングカバー３０の開口縁部３７ａの近傍部位３７ｂに弾性片５５が設けられており、この弾性片５５でハウジングカバー３０とウインカランプ５０との間を閉塞したものである。図９（ｂ）から明らかなように、いずれの角度に変更しても状態は良好であり、所謂「ピー」という甲高い風切り音（笛吹き音）が発生していないことを確認した。
【図面の簡単な説明】
【００４４】
【図１】本発明の一実施形態に係るアウターミラーを示す外観斜視図である。
【図２】同じくハウジング本体とハウジングカバーとを展開した展開斜視図である。
【図３】（ａ）はハウジングカバーを後面側から見た斜視図、（ｂ）（ｃ）はハウジングカバーに対するウインカランプの取り付けを説明するための断面図である。
【図４】（ａ）はウインカランプの斜視図、（ｂ）は同じく平面図、（ｃ）は図４（ｂ）における矢印方向からの側面図である。
【図５】（ａ）は要部の拡大断面図、（ｂ）はハウジングカバーに当る走行風の様子を示した模式図である。
【図６】（ａ）（ｂ）は変形例のハウジングカバーに対するウインカランプの取り付けを説明するための断面図である。
【図７】（ａ）（ｂ）は参考例を示す断面図である。
【図８】（ａ）はミラーハウジングの取付角度の変更方向を示す説明図、（ｂ）は風切り音の測定結果を示す表およびグラフ、（ｃ）は比較例における風切り音の測定結果を示す表およびグラフである。
【図９】（ａ）（ｂ）は変形例における風切り音の測定結果を示す表およびグラフである。
【図１０】従来技術の説明図である。
【符号の説明】
【００４５】
１０    ミラーベース
２０    ハウジング本体
３０    ハウジングカバー
３７    開口部
３７ａ  開口縁部
３７ｂ  近傍部位
４０    ミラー
５０    ウインカランプ
５１    ランプ部
５１ｂ  湾曲横長部
５１ｃ  肩部
５２    ランプカバー
５２ａ  底部
５２ｂ  側部
５２ｃ  溶着溝
５４    弾性片
５５    弾性片
Ｈ      ミラーハウジング
Ｓ      隙間
【図１】
0004667302.tif 000002
【図２】
0004667302.tif 000003
【図３】
0004667302.tif 000004
【図４】
0004667302.tif 000005
【図５】
0004667302.tif 000006
【図６】
0004667302.tif 000007
【図７】
0004667302.tif 000008
【図８】
0004667302.tif 000009
【図９】
0004667302.tif 000010
【図１０】
0004667302.tif 000011